(57)【要約】【課題】媒体収納庫の過装填を防止して適切な集積空間を確保することができる手段を提供する。【解決手段】媒体を集積する昇降可能なステージを有して装置本体に着脱可能に設けられた媒体収納庫に媒体の最大補充枚数位置に停止させるストッパとして支点軸を中心として回動するストッパレバーを設け、このストッパレバーをバネ部材によりステージの方向に付勢すると共に、装置本体に側板を貫通してストッパレバーに当接し、ストッパレバーをステージとは逆方向に回動させるプッシュロッドを設け、媒体収納庫を装置本体に装着した時に、プッシュロッドがストッパレバーを回動させてストッパ機能を解除する。【選択図】        図３
2005272045.tif 000002
【特許請求の範囲】
【請求項１】
媒体を集積する昇降可能なステージを有する媒体収納庫において、
前記ステージを、媒体の最大補充枚数位置に停止させるストッパを設けたことを特徴とする媒体収納庫。
【請求項２】
請求項１において、
前記ストッパを、支点軸を中心として回動するレバーとすると共に、前記媒体収納庫を装置本体に着脱可能に構成し、
前記レバーを、バネ部材により前記ステージの方向に付勢すると共に、前記装置本体に、前記レバーに当接し、前記レバーを前記ステージとは逆方向に回動させるロッドを設け、前記媒体収納庫を装置本体に装着した時に、前記ロッドが前記レバーを回動させてストッパ機能を解除することを特徴とする媒体収納庫。
【請求項３】
請求項１において、
前記ストッパを、支点軸を中心として回動するレバーとすると共に、前記媒体収納庫を装置本体に着脱可能に構成し、
前記レバーを、バネ部材により前記ステージの方向に付勢すると共に、一の側がフレーム側板を貫通し、他の側が前記レバーに当接して前記レバーを前記ステージとは逆方向に回動させるロッドを設け、前記媒体収納庫を装置本体に装着した時に、前記ロッドの一端が前記装置本体に当接してストッパ機能を解除することを特徴とする媒体収納庫。
【請求項４】
請求項１において、
ヒンジにより開閉する扉を設けると共に、前記ストッパを、支点軸を中心として回動するアームとし、該アームを、バネ部材により前記ステージの方向に付勢すると共に、前記アームの一端を前記扉のヒンジの反対側に当接させ、前記扉を閉めた時に、前記アームが前記ステージとは逆方向に回動してストッパ機能を解除することを特徴とする媒体収納庫。
【発明の詳細な説明】
【技術分野】
【０００１】
本発明は、紙幣等の媒体の分離集積機構を有して現金自動預払機等の装置本体に着脱可能に取付けられる媒体収納庫に関する。
【背景技術】
【０００２】
従来の媒体収納庫は、上部にピッカローラとフィードローラとリバースローラとからなる分離機構を配置して昇降可能に構成されたステージに集積されている媒体を分離して排出し、媒体を補充する時にはステージを媒体収納庫の最下部まで下降させて媒体の束をステージ上に補充している（例えば、特許文献１参照。）。
【特許文献１】特開２００４−１９５４号公報（第３頁段落００１３−第４頁段落００１９、第１図）
【発明の開示】
【発明が解決しようとする課題】
【０００３】
しかしながら、上述した従来の技術においては、補充する媒体をステージ上に補充する際には、ステージを最下部まで下降させて最上位の媒体をピッカローラに当接させて補充することが可能な構成となっているため、最上位の媒体をピッカローラに当接させるような過装填が行われると、最上位の媒体が過大な押圧力によりピッカローラに押圧される場合があり、円滑な繰出が阻害される場合があるという問題がある。
【０００４】
また、分離機構の逆転を可能として分離集積機構とした場合には、媒体を集積すべき空間が存在しなくなるため、媒体の集積動作が不可能になるという問題がある。
本発明は、上記の問題点を解決するためになされたもので、過装填を防止して適切な集積空間を確保することができる手段を提供することを目的とする。
【課題を解決するための手段】
【０００５】
本発明は、上記課題を解決するために、媒体を集積する昇降可能なステージを有する媒体収納庫において、前記ステージを媒体の最大補充枚数位置に停止させるストッパを設けたことを特徴とする。
【発明の効果】
【０００６】
これにより、本発明は、媒体の補充時の過装填を防止することができると共に、媒体をステージ上に集積する場合の適切な集積空間を確保することができ、媒体収納庫における媒体の分離集積を円滑に行うことができるという効果が得られる。
【発明を実施するための最良の形態】
【０００７】
以下に、図面を参照して本発明による媒体収納庫の実施例について、銀行等の金融機関や郵政公社、コンビニエンスストア等（金融機関等という。）の営業店や郵便局等の店舗に設置された現金自動預払機に着脱可能に装備され、媒体としての紙幣を分離集積する媒体収納庫を例に説明する。
【実施例１】
【０００８】
図１は実施例１の媒体収納庫の側面を示す説明図、図２は図１のＡ方向矢視図、図３は実施例１の媒体収納庫の装着状態を示す説明図である。
なお、図３は図２と同様に図１のＡ方向から見た矢視図である。
図１において、１は媒体収納庫であり、図示しない装置本体としての現金自動預払機に着脱可能に装備された正面板２ａ、側板２ｂ、側板２ｂに対向する側板としての扉２ｃ（扉２ｃは後述する図６に図示する。）、背面板２ｄ、天板２ｅおよび底板２ｆからなる筐体であって、収納している紙幣Ｐの分離を一枚毎に分離して図示しない現金自動預払機の搬送路へ繰出すと共に、搬送路から搬入された紙幣Ｐを受取って後述するステージ１１上に集積する分離集積機構を備えている。
【０００９】
３はフィードローラであり、媒体収納庫１の正面板２ａの上方に設けられた媒体繰出搬入口４の近傍に配置され、紙幣Ｐの搬入、繰出が容易なようにその外周面の一部または全部にゴム等の摩擦係数の大きい摩擦部材が取付けられており、フィードローラ軸３ａを中心に正逆回転可能に構成されている。
５はリバースローラであり、フィードローラ３に対向して設置され、フィードローラ３を押圧して紙幣Ｐを挟持するように構成されている。またその外周面にはゴム等の摩擦係数の大きい摩擦部材が取付けられており、リバースローラ軸５ａを中心に紙幣Ｐの搬入時にはフィードローラ３と共に回転するが繰出時には回転しない一方向回転機構を備えている。
【００１０】
６はピッカローラであり、フィードローラ３の紙幣Ｐの繰出方向の上流に設置されてピッカローラ軸６ａを中心に正逆回転可能に構成され、紙幣Ｐの搬入、繰出が容易なようにその外周面の一部または全部にゴム等の摩擦係数の大きい摩擦部材が取付けられており、フィードローラ３から搬送される紙幣Ｐを更に搬送し、繰出す紙幣Ｐをフィードローラ３の方向へ搬送する。
【００１１】
７はピッカローラ支持レバーであり、フィードローラ軸３ａを中心に回動可能に構成され、フィードローラ軸３ａの反対側の端部に設けられたピッカローラ軸６ａにピッカローラ６が取付けられる。
上記のピッカローラ６とフィードローラ３とは図示しない動力伝達機構で接続されており、フィードローラ３の回転に伴ってピッカローラ６が同方向かつ同速度で回転する。
【００１２】
８はピッカローラ位置検知センサであり、ピッカローラ支持レバー７の所定の部位が所定の位置、つまりピッカローラ６が集積されている紙幣Ｐを所定の押圧力で押圧する位置に達したことを検知するセンサである。
９は集積プレートであり、一対の凹状断面部材の溝部９ａを対向させ、フィードローラ３側で接続して門形として形成されており、その溝部９ａの対向する底面の間の距離は集積する紙幣Ｐの短手方向の幅と略同等に設定される。
【００１３】
また、集積プレート９には図示しない移動機構が備えられており、図１において上下方向に往復運動可能に構成されている。
１０は固定ガイドであり、門形の集積プレート９の開口部に配置された板状部材であって、集積プレート９が上方に移動したときにその下面よりも下側に位置するように設置されている。
【００１４】
１１はステージであり、紙幣Ｐを集積する板状部材であって、図２に示すようにその側方に突出して設けられたステージガイド１２の孔部に遊嵌するガイドシャフト１３に案内されて図示しない昇降装置により媒体収納庫１の底面２ｆを下限として昇降可能に構成されている。
１４はステージロック解除レバーであり、媒体収納庫１が現金自動預払機から取外されたときにステージ１１の昇降装置を図１において下方向に移動しないようにロックするロック機構を解除するレバーである。
【００１５】
１５は媒体上面検知センサであり、ステージ１１に集積された紙幣Ｐの最上位の紙幣Ｐの上面が集積動作のために設定された所定の位置（集積時紙幣上面位置という。）に位置することを検出するセンサである。
図２において、２０はストッパとしてのストッパレバーであり、装置本体としての現金自動預払機から媒体収納庫１が取外された時にステージガイド１２の下面に当接してステージ１１の下降を所定の位置に停止させるストッパであって、媒体収納庫１に固定された支点軸２１にその中央部付近に設けられた孔部を遊嵌させて支点軸２１を中心に回動可能に支持されており、その一端に設けられた側板２ｂを固定端としたバネ部材としての圧縮コイルバネ２２によりステージ１１の方向に付勢されている。
【００１６】
ストッパレバー２０の上面は、ステージガイド１２の下面がストッパレバーの上面に当接したときに、ステージ１１の位置がその上面と固定ガイド１０との間に所定の空間、つまり集積動作時の紙幣Ｐの集積空間の確保を考慮して決定された補充する紙幣Ｐの最大枚数の厚さを収容する空間が形成される位置（最大補充枚数位置という。）となるように設定されている。
【００１７】
図３において、２５はプッシュロッドであり、装置本体としての現金自動預払機の媒体収納庫装着部等に設けられた棒状部材であって、媒体収納庫１が現金自動預払機に装着された時に媒体収納庫１の側板２ｂに設けられた貫通孔２６を貫通してストッパレバー２０の他端に当接し、圧縮コイルバネ２２の付勢力に抗してストッパレバー２０を支点軸２１を中心にステージ１１の逆方向に回動させ、ストッパレバー２０によるストッパ機能を解除する。
【００１８】
上記の構成の作用について説明する。
媒体収納庫１への紙幣Ｐの補充は、金融機関等の店舗の係員が現金自動預払機から収納枚数の少なくなった媒体収納庫１を取外して行う。
この時、ステージ１１は図示しないロック機構によりその昇降装置がロックされ、ステージ１１が下降しなくなると共に、ストッパレバー２０の他端に当接してストッパレバー２０をステージ１１の逆方向に回動させていた図３に示すプッシュロッド２５が媒体収納庫１の取外しに伴って貫通孔２６から抜け出し、ストッパレバー２０が圧縮コイルバネ２２による付勢力により支持軸２１を中心としてステージの方向に回動し、ストッパレバー２０が図２に示すようにガイドシャフト１３に当接して停止する。
【００１９】
そして、係員が紙幣Ｐを補充するために図示しない扉を開けてステージロック解除レバー１４によりロック機構を解除すると、ステージ１１が自重により下降してステージガイド１２の下面がガイドシャフト１３に当接しているストッパレバー２０の上面に当接して停止する。
これにより、ステージ１１の上面が最大補充枚数位置に停止して紙幣Ｐの過装填を防止して後述する集積空間が確保されると共に、ステージ１１の下面と底板２ｆとの間に空間が形成され、係員が誤ってこの空間に手を挿し入れていたとしても手を挟むことがない。
【００２０】
係員はステージ１１のステージガイド１２がストッパレバー２０に当接して形成されたステージ１１の上面側の空間に紙幣Ｐを補充して扉を閉め、現金自動預払機に媒体収納庫１を装着する。
このとき、図３に示すように現金自動預払機に固定されているプッシュロッド２５が貫通孔２６を貫通して挿入され、ストッパレバー２０の他端に当接してストッパレバー２０を圧縮コイルバネ２２による付勢力に抗して支持軸２１を中心としてステージ１１の逆方向に回動させ、ストッパレバー２０がステージガイド１２から外れてステージ１１のストッパレバー２０によるストッパ機能を解除する。
【００２１】
これにより、ステージ１１が最大補充枚数位置より下側に下降することが可能になり、ステージ１１を下降させて、後述する集積プレート９の移動空間を確保すると共に補充された紙幣Ｐの最上位の紙幣Ｐの上方に新たに搬入された紙幣の集積空間が確保される。
このようにして紙幣Ｐが補充された媒体収納庫１から紙幣Ｐを１枚毎に分離して繰出す場合は、図示しない制御部が繰出指令を受信すると、制御部は集積プレート９を固定ガイド１０の上方に移動させて退避させ、ステージ１１を上昇させてそこに集積されている最上位の紙幣Ｐがピッカローラ６を押し上げ、ピッカローラ支持レバー７がフィードローラ軸７ａを中心に回動してピッカローラ位置検知センサ８がピッカローラ支持レバー７の所定の部位の位置を検知した時にその上昇を停止させる。
【００２２】
そして、ピッカローラ６とフィードローラ３とを共に繰出方向（図１において反時計方向）に回転させ、ピッカローラ６がこれに押圧されている最上位の紙幣Ｐをフィードローラ３の方向へ搬送し、搬送された紙幣Ｐがフィードローラ３とリバースローラ５とに挟持される。
この時、最上位の紙幣Ｐに摩擦等による連れ出された次の紙幣Ｐは、リバースローラ５がその一方向回転機構により回転が停止しているため、このリバースローラ５との摩擦により停止して最上位の紙幣Ｐのみが分離されて媒体繰出搬入口４から現金自動預払機の図示しない搬送路に繰出される。
【００２３】
現金自動預払機の図示しない搬送路搬送路から媒体繰出搬入口４を介して搬入された紙幣Ｐを媒体収納庫１に収納する場合は、図示しない制御部が収納指令を受信すると、制御部はステージ１１を上昇または下降させて媒体上面検知センサ１５がステージ１１に集積されている最上位の紙幣Ｐの上面の位置が集積時紙幣上面位置であることを検知した時にその上昇を停止させると共に、集積プレート９をその溝部９ａが固定ガイド１０の下方で媒体繰出搬入口４と同等の高さになる位置に移動させる。
【００２４】
そして、ピッカローラ６とフィードローラ３とを共に搬入方向（図１において時計方向）に回転させ、媒体繰出搬入口４から搬入された紙幣Ｐをフィードローラ３とリバースローラ５とに挟持して搬送する。
この時、リバースローラ５がその一方向回転機構によりフィードローラ３と共に回転して紙幣Ｐが円滑にピッカローラ６の方向に搬送され、ピッカローラ５が更に搬送して集積プレート９の溝部９ａに紙幣Ｐの短手方向の両端を支持して紙幣Ｐを集積プレート９に一旦集積する。
【００２５】
紙幣Ｐが集積プレート９に一旦集積されると、制御部は集積プレート９を固定ガイド１０の上方に向けて移動させ、固定ガイド１０により紙幣Ｐの溝部９ａによる支持を開放してステージ１１上に集積されている紙幣Ｐの最上位に集積して収納し、集積プレート９を再び媒体繰出搬入口４と同等の高さになる位置に移動させて次の紙幣の集積に備える。
このように、紙幣Ｐの収納動作には集積プレート９を上下に移動させるための移動空間が必要であり、上記のストッパレバー２０によるステージ１１の最大補充枚数位置はこのことも考慮してステージ１１と底板２ｆとの間の空間が設定されている。
【００２６】
上記のようにして収納された紙幣Ｐがニアフル状態となったときは、係員は上記の補充の場合と同様にして媒体収納庫１を取外して収納された紙幣Ｐを回収する。
この時、ステージ１１のステージガイド１２の下面はストッパレバー２０の上面より下方に下降しているため、プッシュロッド２５が貫通孔２６から抜け出し、ストッパレバー２０が圧縮コイルバネ２２によりステージの方向に回動した場合には、ストッパレバー２０がステージガイド１２の側面に当接して停止する。
【００２７】
そして、係員はステージ１１上の紙幣を回収した後は、ステージ１１を最大補充枚数位置の上方に持上げてストッパレバー２０が圧縮コイルバネ２２の付勢力によりガイドシャフト１３に当接したことを確認してステージ１１を最大補充枚数位置に停止させ、適切な枚数の紙幣Ｐを補充して媒体収納庫１を現金自動預払機に装着する。
従って、ステージガイド１２の軸方向長さは、ストッパレバー２０の下面と底板２ｆの上面との距離より長く設定するとよい。
【００２８】
以上説明したように、本実施例では、紙幣を集積するステージを紙幣の最大補充枚数位置に停止させるストッパを設けたことによって、紙幣の補充時の過装填を防止することができると共に、紙幣をステージ上に集積する場合の集積プレートの移動空間および新たな紙幣の集積空間を確保することができ、媒体収納庫への紙幣の収納と媒体収納庫からの紙幣の繰出を円滑に行うことができる。
【００２９】
また、ストッパを支点軸を中心として回動するストッパレバーとし、ストッパレバーを圧縮コイルバネによりステージの方向に付勢し、媒体収納庫を装置本体に装着した時に装置本体に設けたプッシュロッドを側板を貫通させてストッパレバーに当接させ、ストッパレバーによるストッパ機能を解除するようにしたことによって、係員は媒体収納庫を装置本体に装着するだけでストッパ機能を解除することができ、係員の負担を軽減することができる。
【実施例２】
【００３０】
図４は実施例２のストッパレバー近傍を示す上面図である。
なお、上記実施例１と同様の部分は、同一の符号を付してその説明を省略する。
図４において、３０はバネ部材としての引張コイルスプリングであり、側板２ｂを固定端とし、実施例１と同様の支持軸２１を中心として回動するストッパレバー２０の他端に取付けられており、ストッパレバー２０をステージ１１の方向に回動するように付勢している。
【００３１】
３１はプッシュロッドであり、その一の側に設けられた媒体収納庫１の側板２ｂの貫通孔２６を貫通して遊嵌する小径部３２と、他の側に設けられた貫通孔２６の直径より大きい外径を有してストッパレバー２０の他端に当接する大径部３３とからなる段付軸状の棒状部材であって、小径部３２と貫通孔２６との嵌合により軸方向に往復運動可能に支持されており、媒体収納庫１が現金自動預払機に装着された時に小径部３２の先端が現金自動預払機の媒体収納庫装着部の側壁等に当接し、大径部３３の先端がストッパレバー２０の他端を押圧して引張コイルスプリング３０の付勢力に抗してストッパレバー２０を支点軸２１を中心にステージ１１の逆方向に回動させ、ストッパレバー２０によるストッパ機能を解除する。
【００３２】
上記の構成の作用について説明する。
上記実施例１と同様にして係員が紙幣Ｐの補充のために媒体収納庫１を取外すと、現金自動預払機の媒体収納庫装着部の側壁等に当接していたプッシュロッド３１の小径部３２の先端が開放され、ストッパレバー２０が引張コイルスプリング３０による付勢力により支持軸２１を中心としてステージの方向に回動し、ストッパレバー２０が図４に示すようにガイドシャフト１３に当接して停止する。
【００３３】
この時、大径部３３と小径部３２との段付部が側板２ｂに当接し、大径部３３が貫通孔２６より大きい外径を有しているので、プッシュロッド３１の媒体収納庫１の外側への脱落を防止する。
また、実施例１と同様にして媒体収納庫１が装着されると、プッシュロッド３１の小径部３２の先端が側壁等に当接してプッシュロッド３１がストッパレバー２０の方向に移動し、その他端を押圧してストッパレバー２０を引張コイルスプリング３０による付勢力に抗してストッパレバー２０を支持軸２１を中心としてステージ１１の逆方向に回動させ、ストッパレバー２０がステージガイド１２から外れてステージ１１のストッパレバー２０によるストッパ機能を解除する。
【００３４】
その他の補充の作動および繰出動作、収納動作、回収の作動は実施例１と同様であるのでその説明を省略する。この場合の回収の作動においてストッパレバー２０は前記と同様に引張コイルスプリング３０によるステージの方向への付勢力により作動する。
以上説明したように、本実施例では、上記実施例１と同様の効果に加えて、プッシュロッドを収納庫に設けるようにしたことによって、装置本体である現金自動預払機に特別な機構を設けずにストッパレバーによるストッパ機能を解除することができ、装置本体を改造することなく本発明のストッパを早期に実現することができる。
【００３５】
なお、本実施例では、プッシュロッドは別に設けるとして説明したが、ストッパレバーと一体にして貫通孔から突出させるようにしてもよい。この場合に貫通孔をプッシュロッドの振れを許容する長孔とし、プッシュロッドを段付部を持たない一本の棒状部材とするとよい
【実施例３】
【００３６】
図５は実施例３の媒体収納庫の側面を示す説明図、図６は図５のＢ方向矢視図である。
なお上記実施例１と同様の部分は、同一の符号を付してその説明を省略する。
図５、図６において、２ｃは側板２ｂに対向する側板としての扉であり、媒体収納庫１の側方にヒンジ４０により開閉自在に支持されている。
４１はストッパとしてのストッパアームであり、２本の棒状部材４１ａ、４１ｂを組合せて略Ｌ字状に接合して構成され、媒体収納庫１の扉２ｃが開放された時にステージガイド１２の下面に当接してステージ１１の下降を実施例１のストッパレバー２０と同様に最大補充枚数位置に停止させるストッパであって、媒体収納庫１に固定された支点軸２１にその側板２ｂ側の棒状部材４１ａに設けられた孔部を遊嵌させて支点軸２１を中心に回動可能に支持されており、その棒状部材４１ａの支点軸２１と正面板２ａ側の棒状部材４１ｂの間に設けられた側板２ｂを固定端とした圧縮コイルバネ２２によりステージ１１の方向に付勢されている。
【００３７】
また、ストッパアーム４１は、その一端である棒状部材４１ｂの扉２ｃ側の端部を扉２ｃが閉じられているときに扉２ｃのヒンジ４０の反対側の凸部４２に当接させ、棒状部材４１ａとステージガイド１２とが接触しない位置に配置する。
上記の構成の作用について説明する。
図７は実施例３の媒体収納庫の扉の開放状態を示す説明図である。なお図７は図６と同様に図５のＢ方向から見た矢視図である。
【００３８】
上記実施例１と同様にして係員が紙幣Ｐの補充のためにステージ１１の昇降装置がロックされた媒体収納庫１を取外して図７に示すように扉２ｃを開放すると、扉２ｃの凸部４２に当接していたストッパアーム４１の棒状部材４１ｂの端部が開放され、ストッパアーム４１が圧縮コイルバネ２２による付勢力により支持軸２１を中心としてステージの方向に回動し、ストッパアーム４１がガイドシャフト１３に当接して停止する。
【００３９】
そして、係員が紙幣Ｐを補充するためにステージロック解除レバー１４によりロック機構を解除すると、ステージ１１が下降してステージガイド１２の下面がガイドシャフト１３に当接しているストッパアーム４１の棒状部材４１ａの上面に当接して停止する。
これにより、実施例１と同様にステージ１１の上面が最大補充枚数位置に停止する。
係員が実施例１と同様にして紙幣Ｐを補充して扉２ｃを閉めると、ストッパアーム４１の棒状部材４１ｂの端部が扉２ｃの凸部４２に当接してストッパアーム４１を圧縮コイルバネ２２による付勢力に抗して支持軸２１を中心としてステージ１１の逆方向に回動させ、ストッパアーム４１の棒状部材４１ａがステージガイド１２から外れてステージ１１のストッパアーム４１によるストッパ機能を解除する。
【００４０】
これにより、実施例１と同様にステージ１１が最大補充枚数位置より下側に下降することが可能になる。
その他の繰出動作、収納動作、回収の作動は実施例１と同様であるのでその説明を省略する。この場合の回収の作動においてストッパアーム４１が前記と同様に圧縮コイルバネ２２によるステージの方向への付勢力により作動する。
【００４１】
以上説明したように、本実施例では、上記実施例１と同様の効果に加えて、ストッパを支点軸を中心として回動するストッパアームとし、ストッパアームを圧縮コイルバネによりステージの方向に付勢して媒体収納庫の扉を閉めた時に、扉に設けた凸部にストッパアームの一端を当接させ、ストッパアームによるストッパ機能を解除するようにしたことによって、係員は媒体収納庫の扉を閉めるだけでストッパ機能を解除することができ、係員の負担を軽減することができる。
【００４２】
また、ストッパアームを収納庫の内部に設けるようにしたことによって、装置本体である現金自動預払機に特別な機構を設けずにストッパレバーによるストッパ機能を解除することができ、装置本体を改造することなく本発明のストッパを早期に実現することができると共に、金庫として用いる場合の媒体収納庫の側板に孔を穿孔する必要がなくなり、金庫としての安全性を高めることができる。
【００４３】
なお、上記各実施例においては、バネ部材として圧縮コイルバネおよび引張コイルスプリングを例示したが、バネ部材は前記に限らず、支持軸等に設けたトーションスプリング等であってもよい。
また、媒体収納庫が分離集積する媒体を紙幣として説明したが、媒体は紙幣に限らず伝票等の帳票、鉄道の切符や定期券、航空券、入場券、勝馬投票券等のチケット、証券や商品券等の金券であってもよい。
【００４４】
更に、装置本体は現金自動預払機に限らず、帳票取扱装置やチケット類の発券機、金券取扱装置等であってもよい。
【図面の簡単な説明】
【００４５】
【図１】実施例１の媒体収納庫の側面を示す説明図
【図２】図１のＡ方向矢視図
【図３】実施例１の媒体収納庫の装着状態を示す説明図
【図４】実施例２のストッパレバー近傍を示す上面図
【図５】実施例３の媒体収納庫の側面を示す説明図
【図６】図５のＢ方向矢視図
【図７】実施例３の媒体収納庫の扉の開放状態を示す説明図
【符号の説明】
【００４６】
１    媒体収納庫
２ａ  正面板
２ｂ  側板
２ｃ  扉
２ｄ  背面板
２ｅ  天板
２ｆ  底板
３    フィードローラ
３ａ  フィードローラ軸
４    媒体繰出搬入口
５    リバースローラ
５ａ  リバースローラ軸
６    ピッカローラ
６ａ  ピッカローラ軸
７    ピッカローラ支持レバー
８    ピッカローラ位置検知センサ
９    集積プレート
９ａ  溝部
１０  固定ガイド
１１  ステージ
１２  ステージガイド
１３  ガイドシャフト
１４  ステージロック解除レバー
１５  媒体上面検知センサ
２０  ストッパレバー
２１  支点軸
２２  圧縮コイルバネ
２５、３１  プッシュロッド
２６  貫通孔
３０  引張コイルスプリング
３２  小径部
３３  大径部
４０  ヒンジ
４１  ストッパアーム
４１ａ、４１ｂ  棒状部材
４２  凸部
【図１】
2005272045.tif 000003
【図２】
2005272045.tif 000004
【図３】
2005272045.tif 000005
【図４】
2005272045.tif 000006
【図５】
2005272045.tif 000007
【図６】
2005272045.tif 000008
【図７】
2005272045.tif 000009